(57)【要約】【課題】原水の導電率を検出し、その導電率に応じて電解補助剤の添加量を制御することで、電解電力を最も小さい値にできる電解水生成装置およびそれを備えた流し台を提供することを目的とする。【解決手段】原水を電気分解してアルカリイオン水や酸性イオン水を生成する電解槽１５と、電解槽１５に印加する電解電圧を制御する制御部１８と、原水に電解補助剤の添加を行う電解補助剤添加ユニット２２とを有し、電源部１７に電解電流値を検出する電流検知部２９と電解電圧値を検出する電圧検知部３０を備え、制御部１８は検知された電流および電圧から検出された原水の導電率に応じて電解補助剤添加ユニット２２から原水に添加される電解補助剤の添加量を所定量に設定する制御モードとした。【選択図】図２
2006247554.tif 000002
【特許請求の範囲】
【請求項１】
原水を電気分解してアルカリイオン水や酸性イオン水を生成する電解槽と、電解槽に印加する電解電圧を制御する制御部と、電解槽に原水を供給する給水管に配置され原水に電解補助剤を添加する電解補助剤添加ユニットを有し、前記電解槽に印加された電圧を検知する電圧検知手段と電解槽に流れた電流を検知する電流検知手段とを備え、前記制御部は検知された電圧および電流から検出された原水の導電率に応じて電解補助剤添加ユニットから原水に添加される電解補助剤の添加量を所定量に設定する制御モードとしたことを特徴とする電解水生成装置。
【請求項２】
前記制御部は、予め設定された所定のｐＨ値のアルカリイオン水を生成するために必要な電解電力が最も小さい所定の値となるように電解補助剤の添加量を所定量に設定する制御モードとしたことを特徴とする請求項１記載の電解水生成装置。
【請求項３】
請求項１から２のいずれか１項に記載の電解水生成装置を備えた流し台。
【発明の詳細な説明】
【技術分野】
【０００１】
水道水や井戸水等の原水を電気分解して、アルカリイオン水や酸性イオン水を生成する、電解水生成装置およびそれを備えた流し台に関する。
【背景技術】
【０００２】
電解水生成装置において、電気分解の促進のために電解補助剤の添加が必要であるが、電解補助剤添加筒を流れる水に電解補助剤が溶解され、比較的短期間で消費されてしまうことがあった。
【０００３】
このため添加筒内の電解補助剤が無くなった場合、導電率センサーから得られる電解補助剤添加後の導電率の差等により、添加筒への電解補助剤の補給が必要になったかどうかを使用者に知らせるようにした電解水生成装置が提案されている（例えば特許文献１参照）。
【０００４】
図６の従来の電解水生成装置の本体の概略構成図に示すように、電解水生成装置の本体５１内の上部には、原水を浄化処理する浄水カートリッジ５２と、浄化された原水を電気分解してアルカリイオン水や酸性イオン水を生成する電解槽５３と、生成されたアルカリイオン水のｐＨ値や電解補助剤の補給を促す表示をしたり、使用者が望む所定のｐＨ値等を選択入力する操作表示部５４が配置されている。
【０００５】
そして本体５１の下部には電源コード５５を有する電源部５６と操作表示部５４が接続された制御部５７が取りつけられていて、電解槽５３へ印加する電解電圧を制御している。
【０００６】
原水を供給する給水路５８は浄水カートリッジ５２に接続されており、その給水路５８の途中には過剰水圧防止のための定流量弁５９が配置されている。
【０００７】
次に浄水カートリッジ５２は、通水路６０を介して電解槽５３に接続されており、その通水路６０には、通水を検知して制御部５７に送信する流量センサー６１と、電解補助剤を原水に添加する添加筒６２が取りつけられている。
【０００８】
添加筒６２の前段には電解補助剤添加前の水の導電率を測定する導電率センサー６３と、添加筒６２の後段には電解補助剤添加後の水の導電率を測定する導電率センサー６４が取りつけられている。
【０００９】
電解槽５３内は隔膜６５により２室に分けられていて、通水路６０は電解槽の手前で２つに分岐された後各々の室の下側に流入口６６および流入口６７を介して接続されており、その分岐の上流側には電解槽５３や通水路６０の水を抜くための水抜路６８が取りつけられていて、その水抜路６８の途中には電磁弁６９が配置されている。
【００１０】
また電解槽５３内の各々の室には、電極７０と電極７１が内蔵されていて、通常は電極７０がマイナス側でアルカリイオン水が生成され、電極７１はプラス側で酸性イオン水が生成される。
【００１１】
電極７０側には吐水管７２が、電極７１側には排水管７３がそれぞれ接続されていて、生成されたアルカリイオン水や酸性イオン水が吐水されている。
【００１２】
上記の構成において、通水が開始されると原水が給水路５８より導入され、浄水カートリッジ５２で浄化処理された後、通水路６０を通り添加筒６２内の電解補助剤が添加されて電解槽５３に流入する。
【００１３】
流量センサー６１が通水を検知して制御部５７に送信すると、制御部５７は電解槽５３の電極板７０および電極板７１に所定の電解電圧を印加する。
【００１４】
このとき上記した通り、電極７０がマイナス側でアルカリイオン水が生成され、電極７１はプラス側で酸性イオン水が生成される。
【００１５】
生成されたアルカリイオン水は吐出管７２より吐出され、酸性イオン水は排水管７３より排水される。
【００１６】
電解補助剤が添加された水は、溶解した電解補助剤のイオンの存在から導電率が高くなるために、添加筒６２の前後で導電率に差がなければ、添加筒６２に電解補助剤が無くなったと判断することができ、導電率センサー６３、６４から送信を受けた制御部５７は、電解補助剤添加の前後の水の導電率の差が所定値より低い時、操作表示部５４に電解補助剤の補給を促す表示を行わせるようになっている。
【特許文献１】特開平７−２２２９８１号公報
【発明の開示】
【発明が解決しようとする課題】
【００１７】
しかしながら前記従来の技術の（特許文献１）に記載の電解水生成装置では、添加筒内の電解補助剤の有無の判断のみを行っているために、原水の導電率に対して電解補助剤の添加量の最適制御を実施することが困難な場合があった。
【００１８】
本発明はこのような従来の課題を解決するものであり、電解補助剤の浪費を防止できる電解水生成装置およびそれを備えた流し台を提供することを目的とする。
【課題を解決するための手段】
【００１９】
本発明は上記目的を達成するために、原水を電気分解してアルカリイオン水や酸性イオン水を生成する電解槽と、電解槽に印加する電解電圧を制御する制御部と、電解槽に原水を供給する給水管に配置され原水に電解補助剤を添加する電解補助剤添加ユニットを有し、前記電解槽に印加された電圧を検知する電圧検知手段と電解槽に流れた電流を検知する電流検知手段とを備え、前記制御部は検知された電圧および電流から検出された原水の導電率に応じて電解補助剤添加ユニットから原水に添加される電解補助剤の添加量を所定量に設定する制御モードとしたことを特徴としている。
【００２０】
この構成により、検出された原水の導電率に応じて電解補助剤の添加量を最適に調整できるという作用が達成できる。
【発明の効果】
【００２１】
本発明の電解水生成装置およびそれを備えた流し台は、電解補助剤の浪費を防止できるという効果を奏する。
【発明を実施するための最良の形態】
【００２２】
本発明の実施の形態は、原水を電気分解してアルカリイオン水や酸性イオン水を生成する電解槽と、電解槽に印加する電解電圧を制御する制御部と、電解槽に原水を供給する給水管に配置され原水に電解補助剤を添加する電解補助剤添加ユニットを有し、電解槽に印加された電圧を検知する電圧検知手段と電解槽に流れた電流を検知する電流検知手段とを備え、制御部は検知された電圧および電流から検出された原水の導電率に応じて電解補助剤添加ユニットから原水に添加される電解補助剤の添加量を所定量に設定する制御モードとしたものである。
【００２３】
これにより検出された原水の導電率に応じて電解補助剤の添加量を最適に調整することにより、電解補助剤の浪費を防止できる電解水生成装置を提供することができる。
【００２４】
また制御部は、予め設定された所定のｐＨ値のアルカリイオン水を生成するために必要な電解電力が最も小さい所定の値となるように電解補助剤の添加量を所定量に設定する制御制御モードとしてもよい。
【００２５】
この場合は、アルカリイオン水を生成するために必要な電解電力が最も小さい所定の値となるように電解補助剤の添加量を制御することで、電解水生成装置の消費電力を少なくすることができる。
【００２６】
そして上記電解水生成装置を流し台に組込むようにすれば、厨房での使い勝手を大いに高めることができる。
【実施例】
【００２７】
以下、本発明の実施例について図面を用いて説明する。
【００２８】
（実施例１）
図１の実施例１に示す電解水生成装置を備えた流し台の全体構成を示す概略図に示すように、ステンレスや人工大理石等からなる流し台１があり、その流し台１の上面には、ＡＢＳ等のプラスチックやステンレスからなる電解水生成装置の本体２が設置されている。その本体２に原水（水道水や井戸水等）を供給する給水管３は、流し台１の側面および上面を貫通して取りつけられている。
【００２９】
給水管３には使用者が手動で開閉する水栓４が設置されていて、その水栓４の先には水路切換弁５が取りつけられており、使用者がその水路切換弁５を切換えることにより、原水を給水路６を通じて本体２へ導入することができる。
【００３０】
本体２の上面には吐水路７が設置されていて、本体２内で電気分解された電解水（通常はアルカリイオン水）が吐水される。
【００３１】
一方、本体２の下部には排水路８が取りつけられていて、同じく電解水（通常は酸性イオン水）が吐水されている。
【００３２】
また本体２には電源コード９が接続されていて、電気分解等に必要な電源が供給されている。
【００３３】
給水管３より本体２に導入されずに水路切換え弁５からそのまま排出された原水と、吐水路７から吐水されたアルカリイオン水および排水路８から吐水された酸性イオン水は、流し台１の水槽１０の排水口１１より臭気逆流を防止するための封水トラップ１２を有する排水管１３を通過した後、流し台１外に排水される。
【００３４】
図２の実施例１に示す電解水生成装置の本体の概略構成図に示すように、電解水生成装置の本体２内の上部には、原水を浄化処理する浄水カートリッジ１４と、浄化された原水を電気分解することによりアルカリイオン水や酸性イオン水を生成する電解槽１５と、生成されたアルカリイオン水のｐＨ値を表示したり、使用者が望む所定のｐＨ値等を選択入力するための操作表示部１６が配置されている。
【００３５】
そして本体２の下部には電源コード９を有する電源部１７と操作表示部１６が接続された制御部１８が取りつけられていて、電解槽１５への通電や印加する電解電圧等を制御している。
【００３６】
原水が供給される給水路６は浄水カートリッジ１４に接続されていて、その給水路６の途中には、浄水カートリッジ１４以降への過剰水圧を防止するために、内部にオリフィス等の抵抗体を有する定流量弁１９が取りつけられている。
【００３７】
浄水カートリッジ１４は、通水路２０を介して電解槽１５に接続されており、その通水路２０には、原水の通水を検知して制御部１８に送信する超音波方式や電磁方式、または羽根車方式等からなる流量センサー２１が取りつけられており、グリセロリン酸カルシウム等の電解補助剤を貯留して通水される原水に添加する電解補助剤添加ユニット２２がバイパスされている。
【００３８】
電解補助剤添加ユニット２２は、電解補助剤を貯える添加筒２３と、電解補助剤が通水路２０への逆流防止をするための逆止弁２４と、電解補助剤を通水路２０に添加制御する開閉弁２５から構成されている。
【００３９】
電解槽１５内は隔膜２６により２室に分けられていて、各々の室には電極２７と電極２８が内蔵されており、通常は電極２７がマイナス側でアルカリイオン水が生成され、電極２８はプラス側で酸性イオン水が生成される。
【００４０】
電源部１７にはアルカリイオン水および酸性イオン水が生成される時に電極２７と電極２８の間に流れる電解電流値を検出して制御部１８に送信する電流検知部２９および電極２７と電極２８に印加される電解電圧値を検出して制御部１８に送信する電圧検知部３０が取り付けられている。
【００４１】
通水路２０は電解槽の手前で２つに分岐された後各々の室の下側に流入口３１および流入口３２を介して接続されており、その分岐の上流側には電解槽１５や通水路２０の水を抜くための水抜路３３が取りつけられていて、その水抜路３３の途中には電磁弁３４が配置されている。
【００４２】
電極２７側の室の上部には吐水路７が、電極２８側の室の上部には排水路８がそれぞれ接続され、通常は吐水路７からはアルカリイオン水が、排水路８からは酸性イオン水が吐水されている。
【００４３】
この排水管８の途中には水抜路３３が接続されていて、電解槽１５や通水路２０の水についても必要に応じて排水路８より排水できるようになっている。
【００４４】
以上の構成において、本実施例１における電解水生成装置の動作を図１から図３を用いて説明する。図３は実施例１に示す電解水生成装置の動作のフローチャートである。
【００４５】
使用者が電源コード９をコンセントに接続して、操作表示部１６に予め設定されたアルカリ強度のｐＨ値（例えばｐＨ９）を選択してから水栓４を開き、水路切換弁５を切替えると、給水管３の原水が給水路６より本体２に導入される。
【００４６】
導入された原水は、浄水カートリッジ１４において残留塩素や濁り等の不純物が除去され浄化処理された後通水路２０を流れ、電解槽１５に導入される。
【００４７】
通水路２０は電解槽１５の手前で二つに分岐されているので、原水は流入口３１より電極２７側の室へ、流入口３２より電極２８側の室へそれぞれ流入し、このとき電磁弁３４は閉じられているので水抜路３３へは原水が流れないようになっている。
【００４８】
一方通水が開始されると、通水路２０の途中に設置されている流量センサー２１が通水を検知して制御部１８へ送信する（ステップ１（ＳＴ１と表示する、以下同様）のＹ）。
【００４９】
送信を受けた制御部１８は、電解槽１５の電極２７および電極２８へ使用者が選択したｐＨ値に応じた所定の電解電圧を印加するが、この場合は電極２７はマイナス側であり、電極２８がプラス側になっている（ＳＴ２）。
【００５０】
電解電圧が印加されると電極２７と電極２８間には電解電流が流れ、電流検知部２９は電解電流値を検出して制御部１８へ送信すると同時に電圧検知部３０は電極２７と電極２８間に印加されている電解電圧値を検出して制御部１８へ送信する（ＳＴ３）。
【００５１】
原水の導電率は、（式１）に示すように電極２７と電極２８間の距離と、電極２７、２８の面積と、電解電流値および電解電圧値より算出ができ、電極２７と電極２８間の距離および電極２７、２８の面積は固定値であるので、送信を受けた制御部１８は、電解電流値と電解電圧値より原水の導電率を算出する（ＳＴ４）。
【００５２】
導電率＝電極間の距離／電極の面積／電解電圧値／電解電流値・・・（式１）
原水の導電率が低い場合は、電解電流は流れにくいので電解電圧を大きくする必要があるため電解電力が大きくなる。
【００５３】
反対に導電率が大きい場合は、電解電流が流れやすいので電解電圧は小さくてすむので電解電力は小さくなる。
【００５４】
原水の導電率が予め設定された所定の導電率（例えば２００μＳ／ｃｍ）より大きい場合は、電解電流は流れやすいので、電解電圧は小さくてすむので所定のｐＨ値のアルカリイオン水を生成するために必要な電解電力は小さくなり電解補助剤の添加は不要である（ＳＴ５のＹ）。
【００５５】
反対に原水の導電率が予め設定された所定の導電率より小さい場合は、原水の導電率を大きくするために制御部１８は、電解補助剤添加ユニット２２の開閉弁２５を開け、添加筒２３の中の電解補助剤を含んだ溶液が通水路２０を通って電解槽１５に流入さる（ＳＴ５のＮ）、（ＳＴ６）。
【００５６】
通水中は常時電解電流値および電解電圧値の検知を行い、導電率が所定の導電率より大きくなるまで電解補助剤の添加を行い、所定の導電率より大きくなると開閉弁２５を閉じ、電解補助剤の添加を中止する（ＳＴ５のＹ）。
【００５７】
使用者がアルカリイオン水を採取した後水栓４を閉じると通水が停止し、流量センサーが通水停止を検知して制御部１８へ送信する（ＳＴ７）。
【００５８】
送信を受けた制御部１８は、電解槽１５への電解電圧の印加を停止し、運転が終了する（ＳＴ８）。
【００５９】
以上のように本実施例１によれば、原水の導電率を検出することで、その導電率に応じて電解補助剤添加ユニット２２に設けた開閉弁２５を開閉することで、添加筒２３内の電解補助剤の添加量を制御して、原水の導電率を変化させることができるので、原水の導電率が低い場合でも電解電力が低い値となるようにすることができる。
【００６０】
（実施例２）
図４の実施例２に示す電解水生成装置の本体の概略構成図において、実施例１と同一の構成部品については同一符号を付し、その詳細な説明は省略する。
【００６１】
本実施例２は基本的に実施例１を援用するものであり、その中で実施例１との構成上の差異は、電解補助剤添加ユニット２２の開閉弁２５の替わりにポンプ３５が取りつけられていることである。
【００６２】
一方電解水生成器の動作における差異は添加筒２３内の電解補助剤の溶液をポンプ３５が添加筒２３より吸い込み通水路２０に吐き出し添加を行うことである。
【００６３】
以上のように本実施例２によれば、原水の導電率を検出することで、その導電率に応じて電解補助剤添加ユニット２２に設けたポンプ３５により電解補助剤の溶液を添加筒２３より吸い込み通水路２０に吐き出すことで、添加筒２３内の電解補助剤の添加量を制御して、原水の導電率を変化させることができるので、原水の導電率が低い場合でも電解電力が低い値となるようにすることができる。
【００６４】
なお以上の実施例において、電解水生成装置の本体２は流し台１の上部に設置されているが、図５の実施例１に示す電解水生成装置を備えた流し台の全体構成を示す概略図に示すように本体２を流し台１内に設置するビルトインタイプとしてもよい。
【００６５】
図５において図１との差異は、給水管３の途中に取りつけられた分岐弁３６により原水が分岐されて給水路６より本体２へ導入されることと、吐水路７と排水路８の途中であって、流し台１の上部に電磁弁等の開閉弁が内蔵された操作表示部３６が配置されており、所定のｐＨ値の選択や通水開始および停止等が行えるようなっていることである。
【産業上の利用可能性】
【００６６】
以上のように本発明の電解水生成装置は、病院等で殺菌消毒に使用される強酸性水生成装置等への応用が期待できる。
【図面の簡単な説明】
【００６７】
【図１】実施例１に示す電解水生成装置を備えた流し台の全体構成を示す概略図
【図２】実施例１に示す電解水生成装置の本体の概略構成図
【図３】実施例１に示す電解水生成装置の動作のフローチャート
【図４】実施例２に示す電解水生成装置の本体の概略構成図
【図５】実施例１に示す電解水生成装置を備えた流し台の全体構成を示す概略図
【図６】従来の電解水生成装置の本体の概略構成図
【符号の説明】
【００６８】
１    流し台
２    本体
３    給水管
４    水栓
５    水路切換弁
６    給水路
７    吐水路
８    排水路
９    電源コード
１０    水槽
１１    排水口
１２    封水トラップ
１３    排水管
１４    浄水カートリッジ
１５    電解槽
１６    操作表示部
１７    電源部
１８    制御部
１９    定流量弁
２０    通水路
２１    流量センサー
２２    電解補助剤添加ユニット
２３    添加筒
２４    逆止弁
２５    開閉弁
２６    隔膜
２７、２８    電極
２９    電流検知部
３０    電圧検知部
３１、３２    流入口
３３    水抜路
３４    電磁弁
３５    ポンプ
３６    分岐弁
３７    操作表示部
【図１】
2006247554.tif 000003
【図２】
2006247554.tif 000004
【図３】
2006247554.tif 000005
【図４】
2006247554.tif 000006
【図５】
2006247554.tif 000007
【図６】
2006247554.tif 000008